(57)【要約】【課題】受信に対する影響度と充電時間のバランスを考慮した適切な充電制御を実現できるようにする。【解決手段】充電装置１は、携帯電話機２の無線通信部２５から取得した受信状況（受信感度、通話頻度）に基づいて充電回路部１３の充電効率を変更する。この場合、受信感度が悪い場合には低効率の充電で受信感度の劣化を抑えるのに対し、受信感度が良い場合には充電時間を優先させるために高効率の充電を行う。また、通話頻度が多い場合には低効率の充電で受信感度の劣化を抑えるのに対し、通話頻度が少ない場合には充電時間を優先させるために高効率の充電を行う。【選択図】  図１
2011078191.tif 000002
【特許請求の範囲】
【請求項１】
受信機能を有する電子機器を充電する充電装置であって、
前記電子機器から前記受信機能の受信状況を取得する受信状況取得手段と、
この受信状況取得手段によって取得された受信状況に基づいて、充電効率を変更するように制御する充電制御手段と、
を具備したことを特徴とする充電装置。
【請求項２】
前記受信状況取得手段は、前記電子機器からその受信状況として前記受信機能の受信感度を取得し、
前記充電制御手段は、前記受信状況取得手段によって取得された受信感度に基づいて、充電効率を変更する、
ようにしたことを特徴とする請求項１記載の充電装置。
【請求項３】
前記充電制御手段は、前記受信状況取得手段によって取得された受信感度と所定の閾値とを比較した結果、当該所定の閾値より受信感度が悪い場合には第１の充電効率で充電を行わせ、当該所定の閾値より受信感度が良い場合には前記第１の充電効率よりも充電効率の良い第２の充電効率で充電を行わせる、
ようにしたことを特徴とする請求項２記載の充電装置。
【請求項４】
前記充電制御手段は、前記受信状況取得手段によって取得された受信感度の変化に逐次追随して充電効率を順次変更する、
ようにしたことを特徴とする請求項２記載の充電装置。
【請求項５】
前記受信状況取得手段は、前記電子機器からその受信状況として前記受信機能を使用した受信頻度を取得し、
前記充電制御手段は、前記受信状況取得手段によって取得された受信頻度に基づいて、充電効率を変更する、
ようにしたことを特徴とする請求項１記載の充電装置。
【請求項６】
前記受信状況取得手段は、前記電子機器からその受信状況として前記受信機能の受信感度を取得すると共に、前記受信機能を使用した受信頻度を取得し、
前記充電制御手段は、前記受信状況取得手段によって取得された受信感度及び受信頻度に基づいて、充電効率を変更する、
ようにしたことを特徴とする請求項１記載の充電装置。
【請求項７】
前記電子機器から電池残量を取得する電池残量取得手段を更に備え、
前記充電制御手段は、前記受信状況取得手段によって取得された受信状況及び前記電池残量取得手段によって取得された電池残量に基づいて、充電効率を変更する、
ようにしたことを特徴とする請求項１記載の充電装置。
【請求項８】
前記受信状況取得手段は、前記受信状況を定期的に取得し、
前記充電制御手段は、前記受信状況取得手段によって定期的に取得された受信状況に基づいて、定期的に充電効率を変更する、
ようにしたことを特徴とする請求項１記載の充電装置。
【請求項９】
無接点充電方式によって前記電子機器に対して充電を行う、
ようにしたことを特徴とする請求項１記載の充電装置。
【請求項１０】
受信機能を有し、充電装置からのエネルギー供給によって充電される電子機器であって、
前記受信機能の受信状況を取得する受信状況取得手段と、
この受信状況取得手段によって取得された受信状況に基づいて、前記充電装置に対して充電効率の変更を指示するように制御する充電制御手段と、
を具備したことを特徴とする電子機器。
【請求項１１】
前記受信状況取得手段は、前記受信機能の受信状況として前記受信機能の受信感度を取得し、
前記充電制御手段は、前記受信状況取得手段によって取得された受信感度に基づいて、前記充電装置に対して充電効率の変更を指示するように制御する、
ようにしたことを特徴とする請求項１０記載の電子機器。
【請求項１２】
前記受信状況取得手段は、前記受信機能の受信状況として前記受信機能を使用した受信頻度を取得し、
前記充電制御手段は、前記受信状況取得手段によって取得された受信頻度に基づいて、前記充電装置に対して充電効率の変更を指示するように制御する、
ようにしたことを特徴とする請求項１０記載の電子機器。
【請求項１３】
前記受信状況取得手段は、前記受信機能の受信状況としてその受信感度を取得すると共に、当該受信機能を使用した受信頻度を取得し、
前記充電制御手段は、前記受信状況取得手段によって取得された受信感度及び受信頻度に基づいて、前記充電装置に対して充電効率の変更を指示するように制御する、
ようにしたことを特徴とする請求項１０記載の電子機器。
【請求項１４】
電池残量を取得する電池残量取得手段を更に備え、
前記充電制御手段は、前記受信状況取得手段によって取得された受信状況及び前記電池残量取得手段によって取得された電池残量に基づいて、前記充電装置に対して充電効率の変更を指示するように制御する、
ようにしたことを特徴とする請求項１０記載の電子機器。
【請求項１５】
前記充電制御手段は、充電効率を変更可能な前記充電装置に対して充電効率の変更を指示する変更指示情報を送信することによって当該充電装置の充電効率を変更させる、
ようにしたことを特徴とする請求項１０記載の電子機器。
【請求項１６】
コンピュータに対して、
受信機能を有する電子機器に対して充電を行う機能と、
前記電子機器から前記受信機能の受信状況を取得する機能と、
前記取得した受信状況に基づいて充電効率を変更するように制御する機能と、
を実現させるためのプログラム。
【請求項１７】
コンピュータに対して、
受信機能の受信状況を取得する機能と、
前記取得した受信状況に基づいて、充電装置の充電効率の変更を指示するように制御する機能と、
を実現させるためのプログラム。
【発明の詳細な説明】
【技術分野】
【０００１】
本発明は、受信機能を有する電子機器を充電する充電装置及びその電子機器並びにプログラムに関する。
【背景技術】
【０００２】
一般に、受信機能（例えば、通話機能）を備えた携帯電話機などの電子機器（端末装置、受信装置）を充電する充電装置として、無接点充電方式（非接触充電方式）、例えば、電磁誘導方式を採用したものにあっては、金属電極が不要となるために防水や防塵構造を確保することができると共に、ショートする危険もなく、また、電子機器（端末装置）を置く向きを気にすることもないなどの様々な利点を有しているが、充電動作時に発生するノイズが通話機能などの受信信号に悪影響を及ぼして、その受信感度を低下させてしまうという問題がある。
そこで、従来では、電子機器（端末装置、携帯無線器）への充電中の受信時に、例えば、受信動作中（待ち受け回路動作中）に、充電回路の一部又は全部の動作を停止させるようにした技術が開示されている（特許文献１参照）。
【先行技術文献】
【特許文献】
【０００３】
【特許文献１】特開２００８−１３１８１２号公報
【発明の概要】
【発明が解決しようとする課題】
【０００４】
上述した先行技術にあっては、充電中に受信を検出した際に、充電動作を自動的に停止させることによって、充電動作に起因するノイズの発生を減少させて、受信感度の低下を防止するようにしたものであるが、受信動作中に充電動作を停止させるという一律な充電制御を行うものであった。その結果、受信への影響度を考慮して充電動作を停止させると、充電時間が長くなってしまい、逆に、充電時間を考慮し過ぎると、充電動作に起因するノイズの発生によって、受信への影響度が大きくなってしまうという問題が起きる。
【０００５】
本発明の課題は、受信に対する影響度と充電時間のバランスを考慮した適切な充電制御を実現できるようにすることである。
【課題を解決するための手段】
【０００６】
上述した課題を解決するために請求項１記載の発明は、受信機能を有する電子機器を充電する充電装置であって、前記電子機器から前記受信機能の受信状況を取得する受信状況取得手段と、この受信状況取得手段によって取得された受信状況に基づいて、充電効率を変更するように制御する充電制御手段と、を具備したことを特徴とする。
【０００７】
請求項１に従属する発明として、前記受信状況取得手段は、前記電子機器からその受信状況として前記受信機能の受信感度を取得し、前記充電制御手段は、前記受信状況取得手段によって取得された受信感度に基づいて、充電効率を変更する、ようにしたことを特徴とする請求項２記載の発明であってもよい。
【０００８】
請求項２に従属する発明として、前記充電制御手段は、前記受信状況取得手段によって取得された受信感度と所定の閾値とを比較した結果、当該所定の閾値より受信感度が悪い場合には第１の充電効率で充電を行わせ、当該所定の閾値より受信感度が良い場合には前記第１の充電効率よりも充電効率の良い第２の充電効率で充電を行わせる、ようにしたことを特徴とする請求項３記載の発明であってもよい。
【０００９】
請求項２に従属する発明として、前記充電制御手段は、前記受信状況取得手段によって取得された受信感度の変化に逐次追随して充電効率を順次変更する、ようにしたことを特徴とする請求項４記載の発明であってもよい。
【００１０】
請求項１に従属する発明として、前記受信状況取得手段は、前記電子機器からその受信状況として前記受信機能を使用した受信頻度を取得し、前記充電制御手段は、前記受信状況取得手段によって取得された受信頻度に基づいて、充電効率を変更する、ようにしたことを特徴とする請求項５記載の発明であってもよい。
【００１１】
請求項１に従属する発明として、前記受信状況取得手段は、前記電子機器からその受信状況として前記受信機能の受信感度を取得すると共に、前記受信機能を使用した受信頻度を取得し、前記充電制御手段は、前記受信状況取得手段によって取得された受信感度及び受信頻度に基づいて、充電効率を変更する、ようにしたことを特徴とする請求項６記載の発明であってもよい。
【００１２】
請求項１に従属する発明として、前記電子機器から電池残量を取得する電池残量取得手段を更に備え、前記充電制御手段は、前記受信状況取得手段によって取得された受信状況及び前記電池残量取得手段によって取得された電池残量に基づいて、充電効率を変更する、ようにしたことを特徴とする請求項７記載の発明であってもよい。
【００１３】
請求項１に従属する発明として、前記受信状況取得手段は、前記受信状況を定期的に取得し、前記充電制御手段は、前記受信状況取得手段によって定期的に取得された受信状況に基づいて、定期的に充電効率を変更する、ようにしたことを特徴とする請求項８記載の発明であってもよい。
【００１４】
請求項１に従属する発明として、無接点充電方式によって前記電子機器に対して充電を行う、ようにしたことを特徴とする請求項９記載の発明であってもよい。
【００１５】
また、上述した課題を解決するために請求項１０記載の発明は、受信機能を有し、充電装置からのエネルギー供給によって充電される電子機器であって、前記受信機能の受信状況を取得する受信状況取得手段と、この受信状況取得手段によって取得された受信状況に基づいて、前記充電装置に対して充電効率の変更を指示するように制御する充電制御手段と、を具備したことを特徴とする。
【００１６】
請求項１０に従属する発明として、前記受信状況取得手段は、前記受信機能の受信状況として前記受信機能の受信感度を取得し、前記充電制御手段は、前記受信状況取得手段によって取得された受信感度に基づいて、前記充電装置に対して充電効率の変更を指示するように制御する、ようにしたことを特徴とする請求項１１記載の発明であってもよい。
【００１７】
請求項１０に従属する発明として、前記受信状況取得手段は、前記受信機能の受信状況として前記受信機能を使用した受信頻度を取得し、前記充電制御手段は、前記受信状況取得手段によって取得された受信頻度に基づいて、前記充電装置に対して充電効率の変更を指示するように制御する、ようにしたことを特徴とする請求項１２記載の発明であってもよい。
【００１８】
請求項１０に従属する発明として、前記受信状況取得手段は、前記受信機能の受信状況としてその受信感度を取得すると共に、当該受信機能を使用した受信頻度を取得し、前記充電制御手段は、前記受信状況取得手段によって取得された受信感度及び受信頻度に基づいて、前記充電装置に対して充電効率の変更を指示するように制御する、ようにしたことを特徴とする請求項１３記載の発明であってもよい。
【００１９】
請求項１０に従属する発明として、電池残量を取得する電池残量取得手段を更に備え、前記充電制御手段は、前記受信状況取得手段によって取得された受信状況及び前記電池残量取得手段によって取得された電池残量に基づいて、前記充電装置に対して充電効率の変更を指示するように制御する、ようにしたことを特徴とする請求項１４記載の発明であってもよい。
【００２０】
請求項１０に従属する発明として、前記充電制御手段は、充電効率を変更可能な前記充電装置に対して充電効率の変更を指示する変更指示情報を送信することによって当該充電装置の充電効率を変更させる、ようにしたことを特徴とする請求項１５記載の発明であってもよい。
【００２１】
また、上述した課題を解決するために請求項１６記載の発明は、コンピュータに対して、受信機能を有する電子機器に対して充電を行う機能と、前記電子機器から前記受信機能の受信状況を取得する機能と、前記取得した受信状況に基づいて充電効率を変更するように制御する機能と、を実現させるためのプログラムを特徴とする。
【００２２】
また、上述した課題を解決するために請求項１７記載の発明は、コンピュータに対して、受信機能の受信状況を取得する機能と、前記取得した受信状況に基づいて、充電装置の充電効率の変更を指示するように制御する機能と、を実現させるためのプログラムを特徴とする。
【発明の効果】
【００２３】
本発明によれば、受信に対する影響度と充電時間のバランスを考慮した適切な充電制御を実現することができ、実情に即して、実用性に富んだものとなる。
【図面の簡単な説明】
【００２４】
【図１】受信機能を有する電子機器として適用した携帯電話機と、この携帯電話機を充電する充電装置の基本的な構成要素を示したブロック図。
【図２】受信感度に応じて充電効率を切り替える様子を示した図。
【図３】充電装置１の全体動作の概要を示したフローチャート。
【図４】第２実施形態において使用する受信感度−充電効率テーブルＴＢＬを説明するための図。
【図５】第２実施形態において、受信感度に応じて充電効率を切り替える様子を示した図。
【図６】第２実施形態において充電装置１の全体動作の概要を示したフローチャート。
【図７】第２実施形態の変形例を説明するための図で、受信感度の変化に逐次追随して充電効率を曲線的に滑らかに変更させる様子を示した図。
【図８】第３実施形態において携帯電話機２側の全体動作の概要と特徴的な動作を示したフローチャート。
【発明を実施するための形態】
【００２５】
（実施形態１）
以下、図１〜図３を参照して本発明の第１実施形態を説明する。
図１は、受信機能を有する電子機器として適用した携帯電話機と、この携帯電話機を充電する充電装置の基本的な構成要素を示したブロック図である。
充電装置１は、無接点充電方式（非接触充電方式）、例えば、電磁誘導方式によって、携帯電話機２に対する充電を行うもので、商用電源（図示省略）などに電源ケーブル３を介して接続されている。なお、充電装置１は、商用電源との接続に限らず、外部機器（パーソナルコンピュータ、オーディオビジュアル機器など）に接続するようにしてもよい。携帯電話機２は、通話機能（受信機能）を有し、二次電池（例えば、リチウム電池）を電源とするもので、この二次電池への充電時にユーザは、携帯電話機２を充電装置１に接続させる際に、携帯電話機２を充電装置１に載置させるようにしている。この場合、充電装置１と携帯電話機２との接続面（載置面）には、対応する接触センサ４ａ、４ｂが配設されている。接触センサ４ａ、４ｂは、例えば、感圧センサなどで構成されたもので、携帯電話機２が充電装置１に載置されたことを検出する。
【００２６】
充電装置１は、充電制御部１１を中核とするもので、この充電制御部１１は、記憶部１２内の各種のプログラムに応じてこの充電装置１の全体動作を制御するもので、中央演算処理装置やメモリ（図示省略）などを有している。記憶部１２は、ＲＯＭ、ＲＡＭなどの内部メモリで、プログラム領域とデータ領域とを有し、このプログラム領域には、後述する図３に示す動作手順に応じて本実施形態を実現するためのプログラムが格納されている。また、記憶部１２のデータ領域には、この充電装置１の動作に必要な各種の情報が一時記憶されているほか、後述の第２実施形態で使用する受信感度−充電効率テーブルＴＢＬが設けられている。
【００２７】
充電回路部１３は、接触センサ４ａによって携帯電話機２が充電装置１に接続（載置）されていることが検出されている状態において、携帯電話機２との間で無接点充電方式（例えば、電磁誘導方式）によって充電を行うもので、充電用一次コイル１３ａのほか、充電切替部１３ｂなどを有する構成となっている。この充電回路部１３内の充電切替部１３ｂは、“通常充電”、“急速充電”、“充電オフ”を切り替えるもので、例えば、スイッチングトランジスタなどによって構成され、充電制御部１１は、この充電切替部１３ｂに対して、通常充電指示、急速充電指示、充電オフ指示のいずれかを与えることによって“通常充電”、“急速充電”、“充電オフ”のいずれかに切り替えるようにしている。ここで、“急速充電”とは、例えば、“通常充電”で１〜２時間要していた充電を１０分〜１５分で行う充電方式で、低効率（第１の充電効率）の“通常充電”に対して、高効率（第２の充電効率）の充電方式である。
【００２８】
非接触通信部１４は、接触センサ４ａによって携帯電話機２が充電装置１に接続（載置）されていることが検出されている状態において、携帯電話機２との間で非接触通信によってデータの送受信を行うもので、例えば、非接触ＩＣカード、Bluetooth（登録商標）、赤外線通信などの非接触タイプの近距離通信手段によって構成されている。充電制御部１１は、携帯電話機２側から充電を制御するための制御情報として、非接触通信部１４を介して電池残量、受信状況（後述する受信感度、通話頻度）を取得すると、この電池残量、受信状況に基づいて充電回路部１３内の充電切替部１３ｂを制御して、“通常充電”、“急速充電”、“充電オフ”の切り替えを行うようにしている。
【００２９】
その他、計時部１５は、日時情報を計時したり、各種のタイミング信号（例えば、携帯電話機２から電池残量を受信取得するタイミング、後述する第２実施形態では、携帯電話機２から受信感度を受信取得するタイミング）を生成したりする。報知部１６は、充電状態を報知するＬＥＤ（発光ダイオード）などであり、“通常充電”、“急速充電”、“充電オフ”の状態をその発光色を変えたり、点滅状態を変えたりすることによって識別可能に報知する。操作部１７には電源オン／オフキーなどが備えられている。
【００３０】
電子機器としての携帯電話機２は、充電装置１から発生された電力エネルギーの供給によって充電されるもので、次のように構成されている。すなわち、携帯電話機２は、受信機能としての通話機能、電子メール機能、インターネット接続機能（Ｗｅｂアクセス機能）などが備え、最寄りの基地局（図示省略）を介して他の携帯電話機（図示省略）に接続されると、この他の携帯電話機との間で通話可能な状態となり、また、無線通信網を介してインターネット（図示省略）に接続されると、電子メールの送受信が可能となったり、Ｗｅｂページを閲覧可能となったりする。中央制御部２１は、電池部２２からの電力供給によって動作し、記憶部２３内の各種のプログラムに応じてこの携帯電話機２の全体動作を制御するもので、この中央制御部２１にはＣＰＵ（中央演算処理装置）やメモリなどが設けられている。
【００３１】
電池部２２は、接触センサ４ｂによって携帯電話機２が充電装置１に接続（載置）されていることが検出されている状態において、充電装置１との間で無接点充電方式（例えば、電磁誘導方式）によって充電が行われるもので、二次電池２２ａ、充電用二次コイル２２ｂのほか、電池電圧検出部２２ｃを有する構成となっている。この電池部２２内の電池電圧検出部２２ｃは、二次電池２２ａの電圧をデジタル値（電池電圧値）に変換するもので、中央制御部２１は、二次電池２２ａの放電特性によって決められている複数の電圧範囲内のいずれかに電池電圧値が含まれているかに応じて電池残量（％）を検出するようにしている。
【００３２】
記憶部２３は、ＲＯＭ、ＲＡＭなどの内部メモリで、プログラム領域とデータ領域とを有し、このプログラム領域には、本実施形態を実現するためのプログラムが格納されている。また、記憶部２３のデータ領域には、この携帯電話機２の動作に必要な各種の情報が一時記憶されているほか、通話履歴メモリＴＬＭなどが設けられている。なお、記憶部２３は、例えば、ＳＤカード、ＩＣカードなど、着脱自在な可搬型メモリ（記録メディア）を含む構成であってもよく、図示しない所定の外部サーバ上にあってもよい。アプリ処理関係部２４は、通話機能、電子メール機能、インターネット接続機能などのアプリケーション処理に関する情報を記憶したり、その処理に関する制御を行ったりする。
【００３３】
この通話履歴メモリＴＬＭは、着信毎に着信日時、通話相手の電話番号、通話時間などからなる着信履歴情報と、発信毎に発信日時、通話相手の電話番号、通話時間などからなる発信履歴情報を記憶する構成となっている。中央制御部２１は、通話履歴メモリＴＬＭ内の着信履歴情報及び発信履歴情報を解析することによって所定期間当たりの着信回数及び発信回数を合計した合計値を通話頻度（受信頻度）として求めるようにしている。このようにして求められた通話頻度（受信頻度）は、充電装置１からの送信要求に応答して、受信機能（通話機能）の受信状況として充電装置１側に送信される情報である。
【００３４】
無線通信部２５は、図示しない無線部、ベースバンド部、多重分離部などを備え、例えば、通話機能、電子メール機能、インターネット接続機能などの動作時に、最寄りの基地局との間でデータの送受信を行うもので、通話機能の動作時にはベースバンド部の受信側から信号を取り込んで受信ベースバンド信号に復調したのち、音声信号処理部２６を介して通話用スピーカＳＰから音声出力させ、また、通話用マイクＭＣからの入力音声データを音声信号処理部２６から取り込み、送信ベースバンド信号に符号化した後、ベースバンド部の送信側に与えてアンテナＡＮから発信出力させる。また、無線通信部２５には、アンテナＡＮによって受信した信号の電波の強さに基づいて受信感度（受信状況）を検出する受信感度検出部２５ａが設けられている。この受信感度検出部２５ａによって検出された受信感度は、充電装置１からの送信要求に応答して、受信機能（通話機能）の受信状況として充電装置１側に送信される情報である。
【００３５】
表示部２７は、高精細液晶や有機ＥＬを使用し、例えば、待受画像、アイコン、日時情報のほか、テキストデータ、メール、Ｗｅｂページなどを表示する。なお、表示部２７は携帯電話機１に備えられている表示部としたが、外部モニタなど、任意の外部表示装置であってもよい。操作部２８は、電源オン／オフキー、ダイヤル入力、文字入力、コマンド入力などを入力するもので、中央制御部２１は、この操作部２８からの入力操作信号に応じた処理を実行する。
【００３６】
非接触通信部２９は、接触センサ４ｂによって携帯電話機２が充電装置１に接続（載置）されていることが検出されている状態において、充電装置１との間で非接触通信によってデータの送受信を行うもので、例えば、非接触ＩＣカード、Bluetooth（登録商標）、赤外線通信などの非接触タイプの近距離通信手段によって構成されている。中央制御部２１は、この非接触通信部２９から充電装置１に対して、充電を制御するための制御情報として充電開始指示を送信するようにしている。
【００３７】
図２は、受信感度に応じて充電効率を切り替える様子を示した図である。
この図は、その横軸を受信感度に対応させ、縦軸を充電効率に対応させたグラフで、受信感度上の所定点は、充電効率を切り替える閾値（ａ）であることを示している。図示の例は、携帯電話機２側での受信感度が低く閾値（ａ）未満の場合には、通常充電（低効率充電）が行われることを示し、受信感度が高く閾値（ａ）以上の場合には、充電効率が切り替えられて、急速充電（高効率充電）が行われることを示している。このように受信状況である受信感度が低い場合には通常充電が行われ、受信感度が高い場合には急速充電が行われ、また、他の受信状況である通話頻度が高い場合には通常充電が行われ、通話頻度が低い場合には急速充電が行われる。
【００３８】
次に、第１実施形態における充電装置１の動作概念を図３に示すフローチャートを参照して説明する。ここで、このフローチャートに記述されている各機能は、読み取り可能なプログラムコードの形態で格納されており、このプログラムコードにしたがった動作が逐次実行される。また、ネットワークなど伝送媒体を介して伝送されてきた上述のプログラムコードに従った動作を逐次実行することもできる。このことは後述する他の実施形態においても同様であり、記録媒体のほかに、伝送媒体を介して外部供給されたプログラム／データを利用して本実施形態特有の動作を実行することもできる。
【００３９】
図３は、充電装置１の全体動作の概要を示したフローチャートである。
先ず、充電装置１側において充電制御部１１は、操作部１７の電源オン／オフキーによって電源オン操作が行われると（ステップＡ１でＹＥＳ）、携帯電話機２が接続（載置）されたか否かの検出を行いながら接続が検出されるまで待ち状態となる（ステップＡ２）。すなわち、接触センサ４ａによって携帯電話機２が充電装置１に接続（載置）されたことが検出されているときには（ステップＡ２でＹＥＳ）、携帯電話機２からの充電開始指示を受信したかを調べ（ステップＡ３）、充電開始指示を受信するまで上述のステップＡ２に戻って待機状態となる。ここで、携帯電話機２側では、接触センサ４ｂによって充電装置１に接続（載置）されたことが検出されると、非接触通信部２９を介して充電装置１に対して充電開始指示を与える。
【００４０】
充電装置１は、非接触通信部１４を介して携帯電話機２からの充電開始指示を受信すると（ステップＡ３でＹＥＳ）、携帯電話機２に対して電池残量の送信要求を行う（ステップＡ４）。ここで、携帯電話機２側では、この電池残量の送信要求に応答して、電池電圧検出部２２ｃからの電圧値に基づいて電池残量（％）を検出し、この電池残量を非接触通信部２９から充電装置１に対して送信する。充電装置１は、非接触通信部１４を介して携帯電話機２からの電池残量を受信取得すると（ステップＡ５）、この電池残量は予め決められている閾値（ｂ１）以下であるか、つまり、満充電（フル充電）状態、例えば、“９５％以上”の充電状態に達していないかを調べ（ステップＡ６）、閾値（ｂ１）を超えてほぼ満充電の状態に達していれば（ステップＡ６でＮＯ）、今回の充電開始指示を無効とするために上述のステップＡ２に戻る。
【００４１】
また、電池残量が閾値（ｂ１）以下であれば、つまり、ほぼ満充電の状態に達していなければ（ステップＡ６でＹＥＳ）、更に、電池残量は予め決められている閾値（ｂ２）以上であるか、つまり、電池残量が不足間際となる１０％を基準とした場合に、この１０％以上であるかを調べ（ステップＡ７）、１０％未満であれば（ステップＡ７でＮＯ）、携帯電話機２の通話機能を使用可能な状態に維持するために直ちに急速充電が必要であると判断して、ステップＡ２０に移り、充電回路部１３内の充電切替部１３ｂに対して急速充電指示を与え、急速充電が可能な状態に切り替えて急速充電を開始させる。この場合、報知部１６を駆動して急速充電中であることを、例えば、赤色発光によって報知させる。
【００４２】
このようにして急速充電を開始させた後、充電制御部１１は、計時部１５で生成された電池残量取得タイミングに達したかを調べる（ステップＡ２１）。例えば、１分間隔で電池残量を取得する場合には前回取得から１分経過したかを調べながら電池残量取得タイミングに達するまで待機するが、その取得タイミングに達したときには（ステップＡ２１でＹＥＳ）、携帯電話機２に対して電池残量の送信要求を行い（ステップＡ２２）、これに応答して携帯電話機２側からの電池残量を受信すると（ステップＡ２３）、電池残量は１００％に達したかを調べる（ステップＡ２４）。ここで、電池残量が１００％未満であれば（ステップＡ２４でＮＯ）、１００％に達するまで上述のステップＡ２０に戻って急速充電を継続するが、１００％に達したときには（ステップＡ２４でＹＥＳ）、充電回路部１３内の充電切替部１３ｂに対して充電オフ指示を与え、充電オフ状態に切り替えて充電を終了させる（ステップＡ２５）。その後、上述のステップＡ２に戻る。
【００４３】
一方、電池残量が１０％以上９５％以下の範囲内の場合（ステップＡ７でＹＥＳ）、充電装置１は、携帯電話機２に対して受信感度の送信要求を行う（ステップＡ８）。ここで、携帯電話機２側では、この受信感度の送信要求に応答して、無線通信部２５の受信感度検出部２５ａで検出された受信感度を現在の受信状況を示す情報として充電装置１に送信する。充電装置１は、非接触通信部１４を介して携帯電話機２からの受信感度を受信取得すると（ステップＡ９）、この受信感度と予め決められている閾値（ａ）とを比較し、閾値（ａ）未満であるかを調べ（ステップＡ１０）、受信感度が閾値（ａ）以上であれば（ステップＡ１０でＮＯ）、急速充電を行ったとしても受信感度への悪影響は少ない、つまり、ある程度の受信感度があれば、急速充電を行っても受信感度への悪影響（感度の低下）を低く抑えることができると判断して、上述のステップＡ２０に移り、急速充電を開始させる。
【００４４】
また、受信感度が閾値（ａ）未満の場合には（ステップＡ１０でＹＥＳ）、充電装置１は、携帯電話機２に対して受信履歴の送信要求を行う（ステップＡ１１）。ここで、携帯電話機２側では、この受信履歴の送信要求に応答して、通話履歴メモリＴＬＭの内容を解析することによって通話機能を使用した通話頻度を求める。すなわち、所定期間（例えば２週間）内の着信履歴情報から着信回数を求めると共に発信履歴情報から発信回数を求めて、この所定期間当たりの着信回数と発信回数とを合計した合計値を通話頻度として求め、この通話頻度を充電装置１に対して送信する。充電装置１は、非接触通信部１４を介して携帯電話機２からの通話頻度を受信取得すると（ステップＡ１２）、この通話頻度と予め決められている閾値（ｃ）とを比較し、通話頻度は、閾値（ｃ）以上であるかを調べ（ステップＡ１３）、閾値（ｃ）未満であれば（ステップＡ１３でＮＯ）、急速充電を行ったとしても受信感度への悪影響は少ない、つまり、通話頻度が多くない場合には、受信感度への悪影響（感度の低下）よりも充電時間の短縮化を優先させるために、上述のステップＡ２０に移り、急速充電を開始させる。
【００４５】
また、通話頻度が閾値（ｃ）以上であれば（ステップＡ１３でＹＥＳ）、受信感度への悪影響（感度の低下）が大きいと判断して、ステップＡ１４に移り、充電回路部１３内の充電切替部１３ｂに対して通常充電指示を与え、通常充電が可能な状態に切り替えて通常充電を開始させる。この場合、報知部１６を駆動して通常充電中であることを、例えば、青色発光によって報知させる。このように通常充電を開始した後に充電制御部１１は、計時部１５で生成された電池残量取得タイミングに達したかを調べる（ステップＡ１５）。例えば、１分間隔で電池残量を取得する場合には前回取得から１分経過したかを調べながら電池残量取得タイミングに達するまで待機する。
【００４６】
ここで、電池残量取得タイミングに達したときには（ステップＡ１５でＹＥＳ）、携帯電話機２に対して電池残量の送信要求を行い（ステップＡ１６）、これに応答して携帯電話機２側から電池残量を受信すると（ステップＡ１７）、電池残量は１００％に達したかを調べ（ステップＡ１８）、電池残量が１００％未満であれば（ステップＡ１８でＮＯ）、１００％に達するまで上述のステップＡ１４に戻って通常充電を継続するが、１００％に達したときには（ステップＡ１８でＹＥＳ）、充電回路部１３内の充電切替部１３ｂに対して充電オフ指示を与え、充電オフ状態に切り替えて充電を終了させる（ステップＡ１９）。その後、上述のステップＡ２に戻る。
【００４７】
以上のように、第１実施形態において充電装置１は、携帯電話機２の無線通信部２５から取得した受信状況に基づいて充電回路部１３の充電効率を変更するようにしたので、受信に対する影響度と充電時間のバランスを考慮した適切な充電制御を実現することができ、実情に即し、実用性に富んだものとなる。
【００４８】
充電装置１は、携帯電話機２からその受信状況として取得した受信感度に基づいて充電回路部１３の充電効率を変更するようにしたので、充電中に発生するノイズによって携帯電話機２の受信感度が低下することを極力抑えることができる。この場合、受信に対する影響度と充電時間のバランスを考慮して、受信感度が悪い場合には低効率の充電で受信感度の劣化を抑えるのに対し、受信感度が良い場合には充電時間を優先させるために高効率の充電を行うことでバランスの良い充電が可能となる。
【００４９】
充電装置１は、受信感度と所定の閾値とを比較した結果、この閾値より受信感度が悪い場合には第１の充電効率の通常充電を行わせ、閾値より受信感度が良い場合には第２の充電効率の急速充電を行わせるようにしたので、段階的な制御（２段階切り替え）が可能となる。
【００５０】
充電装置１は、携帯電話機２からその受信状況として取得した通話頻度に基づいて充電回路部１３の充電効率を変更するようにしたので、受信に対する影響度と充電時間のバランスを考慮して、通話頻度が多い場合には低効率の充電で受信感度の劣化を抑えるのに対し、通話頻度が少ない場合には充電時間を優先させるために高効率の充電を行うことでバランスの良い充電が可能となる。
【００５１】
充電装置１は、携帯電話機２から取得した受信感度及び通話頻度に基づいて充電回路部１３の充電効率を変更するようにしたので、例えば、受信感度が悪く、通話頻度が多い場合には、低効率の充電で受信感度の劣化を抑えるのに対し、受信感度が良く、通話頻度が少ない場合には高効率の充電を優先させることができ、より一層、木目細かな制御が可能となる。
【００５２】
充電装置１は、携帯電話機２から取得した受信状況と電池残量に基づいて充電回路部１３の充電効率を変更するようにしたので、例えば、電池残量が不足間際であれば、受信状況にかかわらず、携帯電話機２の通話機能を使用可能な状態に維持するために高効率の充電を優先させるが、電池残量が不足していなければ、受信状況に応じて充電効率を変更することができる。
【００５３】
充電装置１は、無接点充電方式によって前記電子機器に対して充電を行うようにしたので、特に充電装置１の影響が出やすい無接点充電方式に対して、好適に採用することができる
【００５４】
（実施形態２）
以下、この発明の第２実施形態について図４〜図６を参照して説明する。
なお、上述した第１実施形態においては、充電効率として通常充電と急速充電の２種類を例示したが、この第２実施形態においては、受信感度−充電効率テーブルＴＢＬを参照し、４種類の充電効率の中からそのいずれかを現在の受信状況に基づいて選択するようにしたものである。ここで、両実施形態において基本的あるいは名称的に同一のものは、同一符号を付して示し、その説明を省略すると共に、以下、第２実施形態の特徴部分を中心に説明するものとする。
【００５５】
図４は、第２実施形態で使用する受信感度−充電効率テーブルＴＢＬを説明するための図である。
受信感度−充電効率テーブルＴＢＬは、携帯電話機２への充電時にその通話機能の受信状況（受信感度）に応じて充電効率を変更する際に参照されるテーブルで、受信感度」、「充電効率」の項目を有している。なお、図示の例では、「受信感度」には、受信感度が最も悪い“閾値（ａ１）未満”から受信感度が最も良い“閾値（ａ３）以上”が記憶されている。また、「充電効率」には、受信感度が最も悪い“閾値（ａ１）未満”に対応して、最も低い充電効率（低速充電）である“充電効率（１）”が記憶され、また、受信感度が最も良い“閾値（ａ３）以上”に対応して、最も高い充電効率（高速充電）である“充電効率（４）”が記憶されている。
【００５６】
一方、「受信感度」としては、受信感度が“閾値（ａ１）未満”の次に悪い“閾値（ａ１）以上閾値（ａ２）未満”が記憶され、また、受信感度が“閾値（ａ３）以上”の次に良い“閾値（ａ２）以上閾値（ａ３）未満”が記憶されている。そして、「充電効率」には、受信感度が次に悪い“閾値（ａ１）以上閾値（ａ２）未満”に対応して、“充電効率（１）”の次に低い充電効率である“充電効率（２）”が記憶され、また、受信感度が次に良い“閾値（ａ２）以上閾値（ａ３）未満”に対応して、“充電効率（４）”の次に高い充電効率である“充電効率（３）”が記憶されている。
【００５７】
図５は、第２実施形態において、受信感度に応じて充電効率を切り替える様子を示した図である。
この図は、その横軸を受信感度に対応させ、縦軸を充電効率に対応させたグラフで、受信感度上の所定点は、充電効率を切り替える閾値（ａ１）、（ａ２）、（ａ３）であることを示している。図示の例は、「受信感度」が“閾値（ａ１）未満”の場合には、“充電効率（１）”の充電が行われることを示し、“閾値（ａ１）以上閾値（ａ２）未満”の場合には、“充電効率（２）”の充電が行われることを示し、“閾値（ａ２）以上閾値（ａ３）未満”の場合には、“充電効率（３）”の充電が行われることを示し、“閾値（ａ３）以上”の場合には、“充電効率（４）”の充電が行われることを示している。これに応じて第２実施形態の充電切替部１３ｂは、受信感度に応じて“充電効率（１）”、“充電効率（２）”、“充電効率（３）”、“充電効率（４）”、“充電オフ”に切り替え可能な構成となっている。
【００５８】
図６は、第２実施形態において充電装置１の全体動作の概要を示したフローチャートである。
先ず、充電制御部１１は、図３のフローチャートと同様に、操作部１７の電源オン／オフキーによって電源オン操作が行われると（ステップＢ１でＹＥＳ）、携帯電話機２が接続（載置）されたか否かの検出を行いながら載置されるまで待ち状態となる（ステップＢ２）。いま、携帯電話機２が充電装置１に接続（載置）されたことを接触センサ４ａが検出したときには（ステップＢ２でＹＥＳ）、携帯電話機２からの充電開始指示を受信したかを調べ（ステップＢ３）、充電開始指示を受信するまで上述のステップＢ２に戻って待機状態となる。いま、携帯電話機２からの充電開始指示を受信すると（ステップＢ３でＹＥＳ）、携帯電話機２に対して電池残量の送信要求を行い（ステップＢ４）、これに応答して携帯電話機２からの電池残量を受信取得すると（ステップＢ５）、電池残量は予め決められている閾値（ｂ１）以下であるか、つまり、満充電（フル充電）状態かを調べ（ステップＢ６）、満充電状態に達していれば（ステップＢ６でＮＯ）、今回の充電開始指示を無効とするために上述のステップＢ２に戻る。
【００５９】
また、電池残量が閾値（ｂ１）以下であれば、つまり、満充電状態に達していなければ（ステップＢ６でＹＥＳ）、充電装置１は、携帯電話機２に対して受信感度の送信要求を行い（ステップＢ７）、これに応答して携帯電話機２から送信された受信感度を受信取得すると（ステップＢ８）、この受信感度に基づいて受信感度−充電効率テーブルＴＢＬを参照することによって（ステップＢ９）、この受信感度に該当する「充電効率」を決定する（ステップＢ１０）。この場合、受信感度が“閾値（ａ１）未満”であれば、“充電効率（１）”を決定し、“閾値（ａ１）以上閾値（ａ２）未満”であれば、“充電効率（２）”を決定し、“閾値（ａ２）以上閾値（ａ３）未満”であれば、“充電効率（３）”を決定し、“閾値（ａ３）以上”であれば、“充電効率（４）”を決定する。
【００６０】
これによって決定した充電効率に基づいて充電切替部１３ｂを制御し、“充電効率（１）”、“充電効率（２）”、“充電効率（３）”、“充電効率（４）”のいずれかに切り替えることによって、その充電効率に応じた充電を開始させる（ステップＢ１１）。この場合、報知部１６を駆動して充電効率を、例えば、発光色を変えることで報知させる。そして、このようにして充電を開始させた後に充電制御部１１は、携帯電話機２に対して電池残量の送信要求を行い（ステップＢ１２）、これに応答して携帯電話機２側から送信された電池残量を受信すると（ステップＢ１３）、この電池残量は１００％未満であるかを調べ（ステップＢ１４）、電池残量が１００％に達したときには（ステップＢ１４でＮＯ）、充電回路部１３内の充電切替部１３ｂに対して充電オフ指示を与え、充電オフ状態に切り替えて充電を終了させる（ステップＢ１５）。その後、上述のステップＢ２に戻る。
【００６１】
また、電池残量が１００％未満であれば（ステップＢ１４でＹＥＳ）、計時部１５で生成された受信感度取得タイミングに達したかを調べる（ステップＢ１６）。例えば、１分間隔で受信感度を取得する場合には前回取得から１分経過したかを調べ、受信感度取得タイミングに達していなければ（ステップＢ１６でＮＯ）、同一の充電効率で充電を継続させるために、上述のステップＢ１１に戻る。また、受信感度取得タイミングに達したときには（ステップＢ１６でＹＥＳ）、上述のステップＢ７に戻って、再度、携帯電話機２に対して受信感度の送信要求を行い、これに応答して携帯電話機２から送信された受信感度を受信取得すると（ステップＢ８）、この受信感度に基づいて受信感度−充電効率テーブルＴＢＬを参照し（ステップＢ９）、充電効率を変更するときには新たな充電効率を決定し（ステップＢ１０）、この充電効率に応じた充電に切り替える（ステップＢ１１）。このような動作を繰り返すことによって充電効率は、受信感度の変化に逐次追随しながら順次変更される。ここで、電池残量が１００％に達したときには（ステップＢ１４でＹＥＳ）、充電を終了させた後（ステップＢ１５）、上述のステップＢ２に戻る。
【００６２】
以上のように、第２実施形態において充電装置１は、携帯電話機２から取得した受信感度の変化に逐次追随して充電回路部１３の充電効率を順次変更するようにしたので、受信に対する影響度と充電時間のバランスを考慮した適切な充電制御を実現することができると共に、木目細かな充電制御が可能となる。この場合、受信感度に応じて受信感度−充電効率テーブルＴＢＬを参照することで、充電効率を４段階に制御することが可能となる。
【００６３】
充電装置１は、携帯電話機２から受信状況を定期的に取得して充電効率を変更するようにしたので、受信状況が頻繁に変化している場合でも、受信状況取得タイミングに合わせて充電効率を変更することができる。
【００６４】
なお、上述した第２実施形態においては、受信感度に応じて受信感度−充電効率テーブルＴＢＬを参照することによって、充電効率を４段階で制御するようにしたが、受信感度に応じて４段階以上の多段階（例えば、６段階、８段階、１０段階など）で制御したり、無段階で制御したりするようにしてもよい。この場合、図７に示すように、受信感度の変化に逐次追随しながら充電効率を曲線的に滑らかに変更させるようにしてもよい。このように充電効率を受信感度の変化に曲線的に追随させることによって、より一層、木目細かな充電制御が可能となる。
【００６５】
上述した第２実施形態においては、受信感度−充電効率テーブルＴＢＬを設けた構成としたが、更に、通話頻度（受信頻度）−充電効率テーブルを設けるようにしてもよい。この場合、例えば、充電効率を切り替える通話頻度の閾値を（ｃ１）、（ｃ２）、（ｃ３）とすると、通話頻度の“閾値（ｃ１）未満”に対応して、高い充電効率（高速充電）である“充電効率（４）”を記憶し、“閾値（ｃ１）以上閾値（ｃ２）未満”
に対応して、“充電効率（４）”の次に高い充電効率である“充電効率（３）”、“閾値（ｃ２）以上閾値（ｃ３）未満”に対応して、“充電効率（１）”の次に低い充電効率である“充電効率（２）”、“閾値（ｃ３）以上”に対応して、最も低い充電効率（低速充電）である“充電効率（１）”を記憶するようにすればよい。
【００６６】
（実施形態３）
以下、この発明の第３実施形態について図８を参照して説明する。
なお、上述した第１及び第２実施形態においては、充電装置１について適用した場合で、この充電装置１は、携帯電話機２の無線通信部２５から取得した受信状況に基づいて充電回路部１３の充電効率を変更するようにしたが、この第３実施形態においては、電子機器の携帯電話機２に適用した場合で、携帯電話機２は、無線通信部２５の受信状況に基づいて充電装置１に充電効率の変更を指示するようにしたものである。ここで、第１・第３実施形態において基本的あるいは名称的に同一のものは、同一符号を付して示し、その説明を省略すると共に、以下、第３実施形態の特徴部分を中心に説明するものとする。
【００６７】
図８は、第３実施形態において携帯電話機２側の全体動作の概要と実施形態の特徴的な動作を示したフローチャートである。
先ず、携帯電話機２において中央制御部２１は、操作部２８の電源オン／オフキーによって電源オン操作が行われると（ステップＣ１でＹＥＳ）、電話着信を検出したかを調べたり（ステップＣ２）、電話発信を検出したかを調べたり（ステップＣ５）、何らかの操作が行われたかを調べたり（ステップＣ８）、携帯電話機２が充電装置１に接続（載置）されたかを調べたりする（ステップＣ１０）。
【００６８】
いま、電話着信を検出したときには（ステップＣ２でＹＥＳ）、通話可能状態とする通話処理を行うと共に（ステップＣ３）、今回の着信情報を通話履歴メモリＴＬＭに着信履歴として登録する（ステップＣ４）。また、電話発信を検出したときには（ステップＣ５でＹＥＳ）、通話可能状態とする通話処理を行うと共に（ステップＣ６）、今回の発信情報を通話履歴メモリＴＬＭに発信履歴として登録する（ステップＣ７）。また、何らかの操作が行われたときには（ステップＣ８でＹＥＳ）、例えば、メール送信処理、インターネット接続処理など、その操作に応じた処理が行われる（ステップＣ９）。
【００６９】
また、接触センサ４ｂが充電装置１に接続（載置）されたことを検出したときには（ステップＣ１０でＹＥＳ）、電池部２２の電池電圧検出部２２ｃで電池電圧を検出し、その電池電圧から対応する電池残量を取得し（ステップＣ１１）、電池残量は予め決められている閾値（ｂ１）以下であるか、つまり、満充電（フル充電）状態、例えば、“９５％以上”の充電状態に達していないかを調べる（ステップＣ１２）。ここで、電池残量が閾値（ｂ１）を超えて満充電状態に達していれば（ステップＣ１２でＮＯ）、今回の充電を無効とするために上述のステップＣ２に戻る。
【００７０】
電池残量が閾値（ｂ１）以下であれば、つまり、満充電状態に達していなければ（ステップＣ１２でＹＥＳ）、更に、電池残量は閾値（ｂ２）以上であるか、つまり、電池残量が不足間際となる１０％を基準とした場合に、この１０％以上であるかを調べ（ステップＣ１３）、１０％未満であれば（ステップＣ１３でＮＯ）、携帯電話機２の通話機能を使用可能な状態に維持するために直ちに急速充電が必要であると判断して、ステップＣ２２に移り、非接触通信部２９を介して充電装置１に急速充電指示を送信する。この場合、充電装置１側では、この急速充電指示に応じて充電回路部１３内の充電切替部１３ｂを制御して、急速充電を開始させる。
【００７１】
そして、携帯電話機２側では、急速充電中において電池残量取得タイミングに達したかを調べる（ステップＣ２３）。例えば、１分間隔で電池残量を取得する場合には前回取得から１分経過したかを調べ、電池残量取得タイミングに達するまで待機するが、その取得タイミングに達したときには（ステップＣ２３でＹＥＳ）、電池残量は１００％に達したかを調べる（ステップＣ２４）。ここで、１００％に達しなければ（ステップＣ２４でＮＯ）、１００％に達するまで上述のステップＣ２３に戻って急速充電を継続させるが、１００％に達したときには（ステップＣ２４でＹＥＳ）、充電装置１に対して充電オフ指示を与えて急速充電を終了させる（ステップＣ２５）。その後、上述のステップＣ２に戻る。
【００７２】
一方、電池残量が１０％以上９５％以下の範囲内にある場合には（ステップＣ１３でＹＥＳ）、無線通信部２５の受信感度検出部２５ａで検出された受信感度を取得し（ステップＣ１４）、この受信感度と閾値（ａ）とを比較し、閾値（ａ）未満であるかを調べる（ステップＣ１５）。ここで、受信感度が閾値（ａ）以上であれば（ステップＣ１５でＮＯ）、急速充電を行ったとしても受信感度への悪影響は少ない、つまり、ある程度の受信感度があれば、急速充電を行っても受信感度への悪影響（感度の低下）を低く抑えることができると判断して、ステップＣ２２に移り、充電装置１に対して急速充電指示を送信する。
【００７３】
また、受信感度が閾値（ａ）未満の場合には（ステップＣ１５でＹＥＳ）、通話履歴メモリＴＬＭの内容を解析することによって通話機能を使用した通話頻度を求める（ステップＣ１６）。すなわち、所定期間（例えば２週間）内の着信履歴から着信回数を求めると共に発信履歴から発信回数を求めて、この所定期間当たりの着信回数と発信回数とを合計した合計値を通話頻度として求める。そして、この通話頻度と閾値（ｃ）とを比較し、予め決められている閾値（ｃ）以上であるかを調べ（ステップＣ１７）、閾値（ｃ）未満であれば（ステップＣ１７でＮＯ）、急速充電を行ったとしても受信感度への悪影響は少ない、つまり、通話頻度が多くない場合には、受信感度への悪影響（感度の低下）よりも充電時間の短縮化を優先させるためにステップＣ２２に移り、充電装置１に対して急速充電指示を送信する。
【００７４】
また、通話頻度が閾値（ｃ）以上であれば（ステップＣ１７でＹＥＳ）、充電装置１に対して通常充電指示を送信する（ステップＣ１８）。この場合、充電装置１側では、この通常充電指示に応じて充電回路部１３内の充電切替部１３ｂを制御して、通常充電を開始させる。そして、この通常充電中において電池残量取得タイミングに達したかを調べる（ステップＣ１９）。例えば、１分間隔で電池残量を取得する場合には前回取得から１分経過したかを調べ、電池残量取得タイミングに達するまで待機するが、その取得タイミングに達したときには（ステップＣ１９でＹＥＳ）、電池残量は１００％に達したかを調べる（ステップＣ２０）。ここで、電池残量が１００％未満であれば（ステップＣ２０でＮＯ）、１００％に達するまで上述のステップＣ１９に戻って通常充電を継続させるが、１００％に達したときには（ステップＣ２０でＹＥＳ）、充電装置１に対して充電オフ指示を与えて通常充電を終了させる（ステップＣ２１）。その後、上述のステップＣ２に戻る。
【００７５】
以上のように、第３実施形態において携帯電話機２は、無線通信部２５から取得した受信状況に基づいて充電装置１の充電効率の変更を指示するようにしたので、受信に対する影響度と充電時間のバランスを考慮した適切な充電制御を実現することができ、実情に即して、実用性に富んだものとなる。
【００７６】
携帯電話機２は、受信状況として取得した受信感度に基づいて充電装置１の充電効率の変更を指示するようにしたので、充電装置１による充電中に発生するノイズによって受信感度が低下することを極力抑えることができる。この場合、受信に対する影響度と充電時間のバランスを考慮して、受信感度が悪い場合には低効率の充電で受信感度の劣化を抑えるのに対し、受信感度が良い場合には充電時間を優先させるために高効率の充電を行うことでバランスの良い充電が可能となる。
【００７７】
携帯電話機２は、通話頻度に基づいて充電装置１の充電効率の変更を指示するようにしたので、受信に対する影響度と充電時間のバランスを考慮して、通話頻度が多い場合には低効率の充電で受信感度の劣化を抑えるのに対し、通話頻度が少ない場合には充電時間を優先させるために高効率の充電を行うことでバランスの良い充電が可能となる。
【００７８】
携帯電話機２は、受信感度及び通話頻度に基づいて充電装置１の充電効率の変更を指示するようにしたので、例えば、受信感度が悪く、通話頻度が多い場合には、低効率の充電で受信感度の劣化を抑えるのに対し、受信感度が良く、通話頻度が少ない場合には高効率の充電を優先させることができ、より一層、木目細かな制御が可能となる。
【００７９】
携帯電話機２は、受信状況と電池残量に基づいて充電装置１の充電効率の変更を指示するようにしたので、例えば、電池残量が不足間際であれば、受信状況にかかわらず、通話機能を使用可能な状態に維持するために高効率の充電を優先させるが、電池残量が不足していなければ、受信状況に応じて充電効率を変更させることができる。
【００８０】
携帯電話機２は、充電装置１に対して充電効率の変更を指示する変更指示情報を送信するようにしたので、充電効率の変更に応じた充電制御を充電装置１側で実行させることができる。
【００８１】
なお、上述した各実施形態においては、携帯電話機２の受信状況として受信感度、通話頻度（所定期間当たりの着信回数及び発信回数を合計した合計値）を示したが、例えば、受信機能の使用累計回数を受信状況としてもよく、電波障害の多い受信場所にあるか否か等の情報を受信状況としてもよい。
【００８２】
また、上述した各実施形態においては、無接点充電方式を採用したが、無接点充電方式に限らず、有接点充電方式（接触型充電方式）であってもよい。
【００８３】
また、上述した各実施形態においては、充電装置１と携帯電話機２との接続面（載置面）に、対応する接触センサ４ａ、４ｂを配設することによって携帯電話機２が充電装置１に載置されたことを検出するようにしたが、それらの接続の検出は、例えば、電磁誘導作用を利用して検出するようにしてもよい。この場合、電磁誘導作用によって発生された起電力が所定値よりも大きいか否かによって携帯電話機２が充電装置１に載置されたことを検出するようにしてもよい。また、上述した各実施形態においては、充電装置１に携帯電話機２を載置するようにしたが、載置以外の接続として、それらの近接などを検出するようにしてもよい。更には、プラグ、コネクタなどを用いて有線接続し、その検出を検出用端子で行うようにしてもよいことは言うまでもない。
【００８４】
上述した各実施形態においては、電池残量を電池電圧に基づいて取得するようにしているが、他の方法（アルゴリズム）で取得するようにしてもよい。
【００８５】
上述した各実施形態においては、電子機器として携帯電話機２に適用した場合を示したが、受信機能付きのＰＤＡ、音楽プレイヤー、それらの複合機、又はテレビ放送やラジオ放送を受信する放送受信装置など、任意の装置であってもよい。
【００８６】
上述した各実施形態において示した“装置”や“機”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【符号の説明】
【００８７】
１  充電装置
２  携帯電話機
４ａ、４ｂ  接触センサ
１１  充電制御部
１２  記憶部
１３  充電回路部
１３ａ  充電用一次コイル
１３ｂ  充電切替部
１４  非接触通信部
１５  計時部
２１  中央制御部
２２  電池部
２２ａ  二次電池
２２ｂ  充電用二次コイル
２２ｃ  電池電圧検出部
２３  記憶部
２５  無線通信部
２５ａ  受信感度検出部
２９  非接触通信部
ＴＢＬ  受信感度−充電効率テーブル
ＴＬＭ  通話履歴メモリ
【図１】
2011078191.tif 000003
【図２】
2011078191.tif 000004
【図３】
2011078191.tif 000005
【図４】
2011078191.tif 000006
【図５】
2011078191.tif 000007
【図６】
2011078191.tif 000008
【図７】
2011078191.tif 000009
【図８】
2011078191.tif 000010